(57)【要約】【課題】テーブルを設置した室内等の美観が損なわれることを抑制することが可能なテーブルを提供する。【解決手段】天板２と、長手方向を天板２の下面２ｂと平行に向けて、天板２の下面２ｂに取り付けた天板受け部４と、天板受け部４から側方に突出する鉤部６と、上下方向に延在し、且つ上端側が天板受け部４に取り付けられる支柱本体部８を備えるテーブル１。【選択図】図１
0003198607.tif 000002
【実用新案登録請求の範囲】
【請求項１】
天板と、
長手方向を前記天板の下面と平行に向けて前記下面に取り付けた天板受け部と、
前記天板受け部から側方に突出する鉤部と、
上下方向に延在し、且つ上端側が前記天板受け部に取り付けられる支柱本体部と、を備えるテーブル。
【請求項２】
前記支柱本体部の下端側に取り付けられる脚部をさらに備え、
前記天板受け部は、平面視で前記脚部を含む最小の円形領域の内側に配置されている請求項１に記載したテーブル。
【請求項３】
前記天板受け部は、前記支柱本体部が取り付けられ且つ幅方向が前記天板の板厚方向を向く平板状であり、
前記鉤部は、前記天板受け部を形成する板材の一部を折り曲げて天板受け部と一体に形成されている請求項１または請求項２に記載したテーブル。
【請求項４】
前記天板受け部のうち前記天板の外周縁と前記鉤部との間に配置される部分の幅は、前記支柱本体部から離れるにつれて下辺が前記天板の下面に近づくことで狭くなる請求項３に記載したテーブル。
【請求項５】
前記天板受け部と前記鉤部とを連結する平板状の天板受けフランジ部をさらに備え、
前記天板受けフランジ部は、前記天板受け部を形成する板材の一部を折り曲げて天板受け部と一体に形成され、且つ平面視で前記支柱本体部まで連続している請求項３または請求項４に記載したテーブル。
【請求項６】
前記支柱本体部は、一つであり、
前記天板受け部は、複数であり、
前記一つの支柱本体部は、平面視で前記天板の中心に位置し、
前記複数の天板受け部は、平面視で前記支柱本体部を中心として放射状に配置されている請求項１から請求項５のうちいずれか１項に記載したテーブル。
【請求項７】
前記複数の天板受け部のそれぞれは、前記鉤部が突出する表面と、前記鉤部が設けられていない裏面と、を含み、
前記複数の天板受け部の表面は、前記複数の天板受け部を前記天板の下面に取り付けた状態で、平面視で前記天板の周方向に沿って同じ側を向く請求項６に記載したテーブル。
【請求項８】
前記天板は長方形であり、
前記支柱本体部は、平面視で前記天板の中心よりも天板の外周縁側に位置し、
前記鉤部は、平面視で、前記の中心へ向けて突出する請求項１から請求項５のうちいずれか１項に記載したテーブル。
【請求項９】
前記天板受け部の上辺から側方に突出し且つ前記天板と接触する平板状の天板連結部を備え、
前記天板連結部の突出方向は、同じ前記天板受け部から突出する前記鉤部の突出方向と同じである請求項１から請求項８のうちいずれか１項に記載したテーブル。
【請求項１０】
前記鉤部の形状は、平面視で前記鉤部の基端部から鉤部の先端部へ向かうにつれて幅が狭くなる形状である請求項１から請求項９のうちいずれか１項に記載したテーブル。
【請求項１１】
前記鉤部の先端部は前記天板の下面側を向いている請求項１から請求項１０のうちいずれか１項に記載したテーブル。
【請求項１２】
一つの前記天板受け部から複数の前記鉤部が突出し、
前記複数のそれぞれの鉤部は、前記天板受け部の長手方向に沿って離れている請求項１から請求項１１のうちいずれか１項に記載したテーブル。
【請求項１３】
前記複数の鉤部は、平面視で前記天板受け部の同じ側から突出している請求項１２に記載したテーブル。
【考案の詳細な説明】
【技術分野】
【０００１】
本考案は、天板を支持する天板受け部に、物品を係止可能な鉤部を設けたテーブルに関する。
【背景技術】
【０００２】
手提げ鞄等の物品を係止可能な係止部を設けたテーブルとして、例えば、特許文献１に開示されているように、天板を支持する支柱に、支柱の側面から突出した係止部を設けた構成のものがある。
【先行技術文献】
【特許文献】
【０００３】
【特許文献１】特許第５５８３４７１号公報
【考案の概要】
【考案が解決しようとする課題】
【０００４】
しかしながら、特許文献１に記載されている技術では、支柱の側面から突出した係止部に手提げ鞄等の物品を吊り下げることとなる。このため、テーブルの側方から物品が視認されやすく、例えば、テーブルを設置した室内等の美観を損なうおそれがあるという問題点があった。
本考案の課題は、テーブルを設置した室内等の美観が損なわれることを抑制することが可能なテーブルを提供することである。
【課題を解決するための手段】
【０００５】
上記課題を解決するために、本考案の一態様に係るテーブルは、天板と、
長手方向を前記天板の下面と平行に向けて前記下面に取り付けた天板受け部と、
前記天板受け部から側方に突出する鉤部と、
上下方向に延在し、且つ上端側が前記天板受け部に取り付けられる支柱本体部と、を備える。
【考案の効果】
【０００６】
本考案の一態様によれば、手提げ鞄等の物品を吊り下げる鉤部が、天板の下面に取り付けた天板受け部から側方に突出するため、鉤部に吊り下げた物品を視認可能な位置が、テーブルから離れた位置となる。これにより、テーブルを設置した室内等の美観が損なわれることを抑制することが可能なテーブルを提供することが可能となる。
【図面の簡単な説明】
【０００７】
【図１】本考案の第一実施形態のテーブルの構成を示す側面図である。
【図２】図１のＩＩ線矢視図である。
【図３】天板受け部、鉤部、支柱本体部、天板受けフランジ部、天板連結部の構成を示す平面図である。
【図４】天板受け部、鉤部、天板受けフランジ部、天板連結部の構成を示す平面図である。
【図５】図４のＶ線矢視図である。
【図６】図５のＶＩ−ＶＩ線端面図である。
【図７】図５のＶＩＩ線矢視図である。
【図８】図２のＶＩＩＩ‐ＶＩＩＩ線断面図である。
【図９】本考案の第一実施形態の変形例を示す図であり、テーブルの平面図である。
【図１０】本考案の第一実施形態の変形例を示す図であり、図１０（ａ）は変形例の天板受け部、鉤部、天板受けフランジ部、天板連結部の構成を示す側面図、図１０（ｂ）は図１０（ａ）のＢ線矢視図である。
【図１１】本考案の第二実施形態のテーブルの構成を示す図であり、図１１（ａ）は第二実施形態のテーブルの構成を示す側面図、図１１（ｂ）は図１１（ａ）のＢ線矢視図である。
【図１２】本考案の第二実施形態の変形例を示す図であり、図１２（ａ）は変形例のテーブルの構成を示す側面図、図１２（ｂ）は図１２（ａ）のＢ線矢視図である。
【考案を実施するための形態】
【０００８】
以下の詳細な説明では、本考案の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で示す場合がある。
【０００９】
（第一実施形態）
以下、本考案の第一実施形態について、図面を参照しつつ説明する。
（構成）
図１から図８を用いて、テーブル１の構成について説明する。
なお、図中では、説明のために、テーブル１を構成する部材同士の大きさの比を、実物とは異なる比率で示す場合がある。
また、以降の説明は、テーブル１を、テーブル１を設置する部屋の床面等である設置面Ｆに設定する場合について記載する。
【００１０】
テーブル１は、天板２と、天板受け部４と、鉤部６と、支柱本体部８と、脚部１０と、天板受けフランジ部１２と、天板連結部１４を備えている。
天板２は、例えば、複数枚の板材を積層した板の側面を、枠材により囲んで形成されている。
なお、複数枚の板材は、例えば、木材等を用いて形成した化粧板や台板等を含む。また、枠材は、樹脂等（例えば、ＡＢＳ樹脂）を用いて形成する。
【００１１】
第一実施形態では、天板２の形状を、平面視で、正方形とした場合について説明する。なお、「平面視」とは、テーブル１を上方（天板２の上面２ａ側）から見た視点である。
天板受け部４は、鋼板等を用いて、幅方向が天板２の板厚方向を向く平板状に形成されている。なお、天板２の板厚方向は、各図中で示す、上下方向と同一である。
天板受け部４の一方の端部は、溶接等により、支柱本体部８に取り付けられている。
【００１２】
第一実施形態では、テーブル１が、一つの支柱本体部８を備えている場合について説明する。
天板受け部４の他方の端部は、天板２の外周縁２ｃへ向けて延在している。
したがって、天板受け部４の形状は、支柱本体部８が取り付けられるとともに、幅方向が天板２の板厚方向を向く平板状である。
また、天板受け部４は、長手方向を天板２の下面２ｂと平行に向けた状態で、天板連結部１４を介して、天板２の下面２ｂに取り付けられている。
【００１３】
第一実施形態では、テーブル１が、四つの天板受け部４を備えている場合について説明する。
四つの天板受け部４は、平面視で、支柱本体部８を中心として放射状に配置されている。
また、四つの天板受け部４は、平面視で、天板２の外周を連続する方向に沿って、等間隔に配置されている。すなわち、隣り合う二つの天板受け部４は、互いの幅方向が、平面視で、直角となっている。すなわち、四つの天板受け部４は、平面視で、一つの支柱本体部８を中心として、他方の端部が９０°間隔で天板２の外周縁２ｃへ向けて延在している。
【００１４】
各天板受け部４は、平面視で、脚部１０の先端同士を結んで形成される閉ループ領域Ｒの内側に配置されている。
なお、閉ループ領域Ｒは、図２中に示すように、平面視で、脚部１０の先端同士を結んで形成する円形の領域である。
また、側面視で、天板受け部４のうち、鉤部６よりも支柱本体部８から離れた位置に配置される部分の幅は、鉤部６から支柱本体部８側に配置される部分の幅よりも狭い。
これに加え、側面視で、天板受け部４のうち、支柱本体部８に取り付けられている端部（一方の端部）と鉤部６との間に配置される部分の幅は、支柱本体部８から離れるにつれて、下辺が、天板２の下面２ｂに近づくことで狭くなる。
【００１５】
さらに、側面視で、天板受け部４のうち、天板２の外周縁２ｃへ向けて延在する端部（他方の端部）と鉤部６との間に配置される部分の幅は、支柱本体部８から離れるにつれて、下辺が、天板２の下面２ｂに近づくことで狭くなる。
したがって、各天板受け部４は、側面視で、支柱本体部８から離れるにつれて、下辺が、天板２の下面２ｂに近づくことで狭くなる形状に形成されている。
各天板受け部４は、表面４ａと裏面４ｂを含む。
天板受け部４の表面４ａは、鉤部６が突出する面である。
【００１６】
また、各天板受け部４の表面４ａは、四つの天板受け部４を天板２の下面２ｂに取り付けた状態において、平面視で、天板２の周方向に沿って同じ側を向いている。
天板受け部４の裏面４ｂは、鉤部６が設けられていない面である。
したがって、天板受け部４の表面４ａと、天板受け部４の裏面４ｂとは、平面視で、天板２の外周を連続する方向に沿って、交互に配置されている。
また、各天板受け部４は、天板側空隙部４ｃを有している。
天板側空隙部４ｃは、天板受け部４を形成する板材の、天板２の下面２ｂ側（上端側）の一部を切り欠いて形成されている。具体的には、天板受け部４を形成する板材の上端側のうち、両端部を除く部分を連続する切欠きにより、天板側空隙部４ｃが形成されている。
【００１７】
したがって、天板受け部４のうち、天板２と対向する面の一部は、天板２の下面２ｂと離間している。すなわち、天板受け部４は、天板側空隙部４ｃを除く両端側の二箇所で、天板２の下面２ｂと接触している。
鉤部６は、天板受け部４から側方に突出するように、天板受け部４を形成する板材の一部を折り曲げて、天板受け部４と一体に形成されている。
【００１８】
第一実施形態では、一つの天板受け部４から、二つの鉤部６が突出する場合について説明する。
一つの天板受け部４から突出する二つの鉤部６は、天板受け部４の長手方向に沿って離れている。すなわち、一つの天板受け部４から突出するそれぞれの鉤部６は、天板受け部４の長手方向に沿って離れている。
また、一つの天板受け部４から突出する二つの鉤部６は、平面視で、天板受け部４の同じ側から突出している。
【００１９】
各鉤部６の形状は、平面視で、鉤部６の基端部６ａから鉤部６の先端部６ｂへ向かうにつれて幅が狭くなる形状である。
各鉤部６の先端部６ｂは、天板２の下面２ｂ側を向いている。
支柱本体部８は、金属製であり、断面が円形のパイプ（丸パイプ）等、円筒状の部材で形成されている。
【００２０】
第一実施形態では、テーブル１が、一つの支柱本体部８を備えている場合について説明する。
支柱本体部８の軸方向は、上下方向へ向いている。したがって、支柱本体部８は、上下方向へ延在している。
また、支柱本体部８の上端側は、天板受け部４に取り付けられている。
また、支柱本体部８は、平面視で、天板２の中心に位置している。具体的には、平面視で、支柱本体部８の上端の中心を、天板２の対角線の交点と重なる位置に配置されている。
【００２１】
また、支柱本体部８の下端面は、設置面Ｆと離間している。
脚部１０は、金属製であり、断面が扁平楕円形のパイプ等で形成されている。なお、扁平楕円形とは、平行に配列した同じ長さの二辺の直線部と、二辺の直線部を端部間で連続させる同形状の二辺の半円部とで形成した形状である。
また、脚部１０は、脚部１０の一方の端部を、支柱本体部８の外面側から、支柱本体部８の下端側に形成された内部空間へ挿通した状態で、溶接等により、支柱本体部８に取り付けられている。これにより、脚部１０は、支柱本体部８の下端側に取り付けられている。
【００２２】
また、脚部１０は、側面視で、支柱本体部８から離れるにつれて、下辺が設置面Ｆに近づくように傾斜させた状態で、支柱本体部８の下端側に取り付けられている。
脚部１０の他方の端部は、天板２の外周縁２ｃに向けて延在している。
また、脚部１０の他方の端部には、接地部用ブラケット１６を介して、テーブル１の接地部分を形成する接地部１８が取り付けられている。
なお、図８中では、説明のために、支柱本体部８の下端側の一部と、脚部１０と、接地部用ブラケット１６と、接地部１８と、脚部カバー２０を図示している。また、図８中では、説明のために、軸方向から見た状態を図示している脚部１０に取り付けた脚部カバー２０の図示を省略している。
【００２３】
接地部用ブラケット１６は、軸方向の断面が六角形の部材で形成されており、軸方向を上下方向へ向けて配置されている。
また、脚部１０の他方の端部と接地部用ブラケット１６は、脚部１０に取り付けた脚部カバー２０で覆われている。
接地部１８は、樹脂材料を用いて円形に形成されている。
また、接地部１８の一方の面（上面）は、脚部１０の他方の端部に取り付けられ、接地部１８の他方の面（下面）は、設置面Ｆ上に載置されている。
また、脚部１０の表面には、表面処理（例えば、樹脂の焼き付け塗装、クロムメッキ）が施されている。
【００２４】
第一実施形態では、テーブル１が、四つの脚部１０を備えている場合について説明する。すなわち、第一実施形態では、テーブル１が、同じ数（四つ）の天板受け部４と脚部１０を備えている。
四つの天板受け部４と四つの脚部１０は、それぞれ、平面視で重なっている。
天板受けフランジ部１２は、天板受け部４と各鉤部６とを連結する平板状の部材で形成されている。
【００２５】
第一実施形態では、テーブル１が、四つの天板受け部４を備えている。したがって、第一実施形態では、テーブル１が、四つの天板受けフランジ部１２を備えている場合について説明する。
また、各天板受けフランジ部１２は、天板受け部４を形成する板材の一部を折り曲げて天板受け部４と一体に形成されている。なお、天板受け部４を形成する板材の一部とは、天板受け部４を形成する板材の、設置面Ｆ側（下端側）の一部である。
また、各天板受けフランジ部１２は、平面視で、支柱本体部８まで連続している。
具体的には、各天板受けフランジ部１２は、各鉤部６のうち、最も天板２の外周縁２ｃ側に配置されている鉤部６と支柱本体部８とを連続している。
【００２６】
第一実施形態では、天板受け部４の長手方向から見て、天板受けフランジ部１２と天板受け部４とのなす角度が９０°である場合について説明する。
また、第一実施形態では、天板受け部４の長手方向から見て、天板受けフランジ部１２と各鉤部６とのなす角度が３０°である場合について説明する。
天板連結部１４は、天板受け部４の上辺から側方に突出して天板２と接触する平板状の部材で形成されている。
第一実施形態では、テーブル１が、四つの天板受け部４を備えている。したがって、第一実施形態では、テーブル１が、四つの天板連結部１４を備えている場合について説明する。
各天板連結部１４の突出方向は、同じ天板受け部４から突出する鉤部６の突出方向と同じである。
【００２７】
第一実施形態では、天板受け部４の長手方向から見て、天板連結部１４と天板受け部４とのなす角度が９０°である場合について説明する。
また、各天板連結部１４の角部には、面取り加工が施されている。
また、各天板連結部１４は、取り付けねじ挿通孔１４ａを有している。
取り付けねじ挿通孔１４ａは、天板連結部１４を厚さ方向に貫通する貫通孔である。
また、取り付けねじ挿通孔１４ａの内径は、図示しない取り付けねじの軸部を挿通可能であるとともに、取り付けねじの頭部よりも小さい値に設定する。
取り付けねじの頭部は、ドライバー等の工具が嵌合する。また、取り付けねじの軸部は、外周面にねじ溝が形成されており、頭部と反対側の先端部は、頭部から離れるにつれて外径が減少する形状に形成されている。
【００２８】
そして、取り付けねじ挿通孔１４ａに、天板連結部１４の下面（設置面Ｆと対向する面）側から、取り付けねじの先端部、取り付けねじの軸部を順に挿通させ、天板２の下面２ｂに、取り付けねじの先端部及び軸部をねじ込む。これにより、天板連結部１４を天板２の下面２ｂに取り付ける。
したがって、天板受け部４は、支柱本体部８に取り付けられているとともに、天板連結部１４を介して天板２に取り付けられている。
なお、天板受け部４、鉤部６、天板受けフランジ部１２、天板連結部１４には、例えば、ショットブラスト処理等の表面処理により、バリを除去する加工が施されている。
【００２９】
（テーブル１の使用状態）
以下、図１から図８を参照して、第一実施形態のテーブル１を使用する状態について説明する。
テーブル１の使用者は、例えば、手提げ鞄等の物品を鉤部６に吊り下げた後に、テーブル１の近くに配置した椅子（図示せず）に座り、天板２の上面２ａに飲食物等を載せる。
ここで、第一実施形態では、上述したように、手提げ鞄等の物品を吊り下げる鉤部６が、天板２の下面２ｂに取り付けた天板受け部４から側方に突出している。
【００３０】
これにより、支柱の側面から突出した係止部に物品を吊り下げる構成のテーブルと比較して、鉤部６に吊り下げた物品を視認可能な位置が、テーブル１から離れた位置となる。
したがって、第一実施形態では、テーブル１を設置した室内等の美観が損なわれることを抑制することが可能なテーブル１を提供することが可能である。
なお、上述した第一実施形態は、本考案の一例であり、本考案は、上述した第一実施形態に限定されることはなく、この実施形態以外の形態であっても、本考案に係る技術的思想を逸脱しない範囲であれば、設計等に応じて種々の変更が可能である。
【００３１】
（第一実施形態の効果）
第一実施形態では、以下に記載する効果を奏することが可能となる。
（１）天板受け部４を、長手方向を天板２の下面２ｂと平行に向けて天板２の下面２ｂに取り付け、鉤部６を、天板受け部４から側方に突出させる。これに加え、支柱本体部８を、上下方向に延在させた状態で、上端側を天板受け部４に取り付ける。
このため、支柱の側面から突出した係止部に物品を吊り下げる構成のテーブルと比較して、鉤部６に吊り下げた物品を視認可能な位置が、テーブル１から離れた位置となる。
その結果、テーブル１を設置した室内等の美観が損なわれることを抑制することが可能なテーブル１を提供することが可能となる。
（２）脚部１０を、支柱本体部８の下端側に取り付ける。これに加え、天板受け部４を、平面視で、閉ループ領域Ｒの内側に配置する。
その結果、鉤部６に吊り下げた物品による下方への荷重が、平面視で、閉ループ領域Ｒの内側で鉤部６に加わることとなり、テーブル１が傾斜することを抑制して、テーブル１の転倒を抑制することが可能となる。
【００３２】
（３）天板受け部４を、支柱本体部８が取り付けられるとともに、幅方向が天板２の板厚方向を向く平板状の部材で形成する。これに加え、鉤部６を、天板受け部４を形成する板材の一部を折り曲げて、天板受け部４と一体に形成する。
その結果、鉤部６を天板受け部４と別体で形成し、溶接等で鉤部６を天板受け部４に取り付ける構成と比較して、鉤部６の強度を向上させることが可能となる。
（４）天板受け部４のうち天板２の外周縁２ｃと鉤部６との間に配置される部分の幅が、支柱本体部８から離れるにつれて、下辺が、天板２の下面２ｂに近づくことで狭くなる。
その結果、支柱本体部８から離れた位置の鉤部６に吊り下げた物品と天板２との距離が近くなるため、鉤部６に吊り下げた物品を視認可能な位置が、テーブル１から離れた位置となる。
【００３３】
（５）天板受けフランジ部１２を、天板受け部４と鉤部６とを連結する平板状の部材で形成する。これに加え、天板受けフランジ部１２を、天板受け部４を形成する板材の一部を折り曲げて、天板受け部４と一体に形成するとともに、平面視で、支柱本体部８まで連続させる。
その結果、天板受けフランジ部１２を天板受け部４と別体で形成し、溶接等で天板受けフランジ部１２を天板受け部４に取り付ける構成と比較して、天板受けフランジ部１２の強度を向上させることが可能となる。これにより、鉤部６の強度も向上させることが可能となる。
【００３４】
（６）天板２を方形に形成し、一つの支柱本体部８を、平面視で、天板２の中心に位置させる。これに加え、四つの天板受け部４を、平面視で、支柱本体部８を中心として放射状に配置する。
その結果、四つの天板受け部４が、それぞれ、天板２を均等に支持することが可能となるため、天板２が受けて、天板２から各天板受け部４に伝達される荷重の偏りを、抑制することが可能となる。
【００３５】
（７）四つの天板受け部４のそれぞれが、鉤部６が突出する表面４ａと、鉤部６が設けられていない裏面４ｂを含む。これに加え、四つの天板受け部４の表面４ａが、四つの天板受け部４を天板２の下面２ｂに取り付けた状態で、平面視で天板２の周方向に沿って同じ側を向く。
このため、平面視で天板２の下面２ｂを四つの天板受け部４で四つの領域に区分した状態で、各領域に、一つの天板受け部４から突出する鉤部６のみが配置されることとなる。
その結果、異なる天板受け部４から突出する鉤部６に吊り下げた物品同士の干渉を防止することが可能となる。
【００３６】
（８）天板連結部１４を、天板受け部４の上辺から側方に突出して天板２と接触する平板状の部材で形成する。これに加え、天板連結部１４の突出方向を、同じ天板受け部４から突出する鉤部６の突出方向と同じ方向とする。
その結果、物品を吊り下げた鉤部６に加わる荷重を、天板２の下面２ｂに取り付けた天板連結部１４により、側面視で、鉤部６の上方で受けることが可能となるため、テーブル１が傾斜することを抑制して、テーブル１の転倒を抑制することが可能となる。
【００３７】
（９）鉤部６の形状を、平面視で、鉤部６の基端部６ａから鉤部６の先端部６ｂへ向かうにつれて幅が狭くなる形状とする。
その結果、鉤部６の基端部６ａ側へ移動した物品の先端部６ｂ側への移動を抑制することが可能となり、鉤部６に吊り下げた物品の落下を抑制することが可能となる。
（１０）鉤部６の先端部６ｂを、天板２の下面２ｂ側へ向ける。
その結果、鉤部６に吊り下げた物品が、鉤部６の先端部６ｂ側から基端部６ａ側へ円滑に移動することとなり、鉤部６に吊り下げた物品の落下を抑制することが可能となる。
【００３８】
（１１）一つの天板受け部４から二つの鉤部６を突出させる。これに加え、二つの鉤部６（それぞれの鉤部６）を、天板受け部４の長手方向に沿って離れて配置する。
その結果、例えば、鉤部６に吊り下げる物品が、一つのみの鉤部６に吊り下げる状態では設置面Ｆに接触する物品であっても、二つの鉤部６を用いることにより、鉤部６に吊り下げた物品が設置面Ｆと接触する可能性を低減させることが可能となる。
なお、一つのみの鉤部６に吊り下げる状態では設置面Ｆに接触する物品とは、例えば、持ち手（ハンドル）等の把持部品の長さが長い鞄等、鉤部６に吊り下げる部分が長い物品である。
（１２）二つの鉤部６を、平面視で、天板受け部４の同じ側から突出させる。
その結果、二つの鉤部６を、平面視で、天板受け部４の異なる側から突出させる場合と比較して、鉤部６の形成工程を簡略化することが可能となる。
【００３９】
（変形例）
（１）第一実施形態では、天板２の形状を、平面視で、正方形としたが、これに限定するものではない。すなわち、例えば、図９中に示すように、天板２の形状を、平面視で、長方形としてもよい。
また、特に図示しないが、天板２の形状を、平面視で、円形としてもよい。この場合、支柱本体部８の上端の中心を、例えば、平面視で、天板２の中心と重なる位置に配置する。
【００４０】
（２）第一実施形態では、天板受け部４の構成を、支柱本体部８に取り付けられているとともに、天板連結部１４を介して天板２に取り付けられている構成としたが、これに限定するものではない。すなわち、天板受け部４の構成を、例えば、図１０中に示すように、天板受け部４の構成を、天板連結部１４を介して天板２のみに取り付けられている構成としてもよい。
（３）第一実施形態では、各天板受け部４を、平面視で、閉ループ領域Ｒの内側に配置したが、これに限定するものではない。すなわち、各天板受け部４を、平面視で、脚部１０を含む最小の円形領域の内側に配置してもよい。
【００４１】
（４）第一実施形態では、テーブル１の構成を、一つの天板受け部４から二つの鉤部６が突出する構成としたが、これに限定するものではない。すなわち、例えば、図１０中に示すように、テーブル１の構成を、一つの天板受け部４から一つのみの鉤部６が突出する構成としてもよい。
（５）第一実施形態では、鉤部６を、天板受け部４を形成する板材の一部を折り曲げて、天板受け部４と一体に形成したが、これに限定するものではない。すなわち、鉤部６を、天板受け部４を形成する板材とは別体で形成し、ねじ等の部材を用いて、鉤部６を、天板受け部４を形成する板材に取り付けてもよい。
【００４２】
（第二実施形態）
以下、本考案の第二実施形態について、図面を参照しつつ説明する。
（構成）
図１から図８を参照しつつ、図１１を用いて、テーブル１の構成について説明する。なお、以降の説明では、上述した第一実施形態と同様の構成に対する説明は省略する場合がある。
【００４３】
テーブル１は、天板２と、天板受け部４と、鉤部６と、支柱本体部８と、脚部１０と、天板受けフランジ部１２と、天板連結部１４と、梁部材２２を備えている。
天板２の形状は、平面視で、長方形である。すなわち、天板２は、平面視で、二辺の長辺２Ｌと、二辺の短辺２Ｓを有する。
なお、図１１中及び以降の記載では、説明のために、二辺の長辺２Ｌのうち、図１１（ｂ）中で上方に配置した一辺を、長辺２ＬＵと示し、二辺の長辺２Ｌのうち、図１１（ｂ）中で下方に配置した一辺を、長辺２ＬＤと示す。同様に、二辺の短辺２Ｓのうち、図１１（ｂ）中で左方に配置した一辺を、短辺２ＳＬと示し、二辺の短辺２Ｓのうち、図１１（ｂ）中で右方に配置した一辺を、短辺２ＳＲと示す。
【００４４】
天板受け部４の一方の端部は、溶接等により、支柱本体部８に取り付けられている。
第二実施形態では、テーブル１が、二つの支柱本体部８を備えている場合について説明する。これに加え、第二実施形態では、テーブル１が、一方の端部が一つの支柱本体部８に取り付けられる二つの天板受け部４を備えている場合について説明する。すなわち、第二実施形態のテーブル１は、四つの天板受け部４を備えている。
なお、図１１中及び以降の記載では、説明のために、二つの支柱本体部８のうち、図１１（ｂ）中で左方に配置した支柱本体部８を、支柱本体部８Ｌ（一方の支柱本体部８Ｌ）と示す。また、図１１中及び以降の記載では、説明のために、二つの支柱本体部８のうち、図１１（ｂ）中で右方に配置した支柱本体部８を、支柱本体部８Ｒ（他方の支柱本体部８Ｒ）と示す。
【００４５】
一方の支柱本体部８Ｌに取り付けられる二つの天板受け部４の他方の端部は、それぞれ、天板２の長辺２ＬＵと、天板２の長辺２ＬＤへ向けて延在している。同様に、他方の支柱本体部８Ｒに取り付けられる二つの天板受け部４の他方の端部は、それぞれ、天板２の長辺２ＬＵと、天板２の長辺２ＬＤへ向けて延在している。
すなわち、四つの天板受け部４のうち二つは、それぞれ、平面視で、一方の支柱本体部８Ｌを起点として、天板２の短手方向に沿って、天板２の二つの異なる長辺（長辺２ＬＵ，長辺２ＬＤ）へ向けて延在する。さらに、四つの天板受け部４のうち残りの二つは、それぞれ、平面視で、他方の支柱本体部８Ｒを起点として、天板２の短手方向に沿って、天板２の二つの異なる長辺（長辺２ＬＵ，長辺２ＬＤ）へ向けて延在する。したがって、天板受け部４は、平面視で、支柱本体部８を起点として、天板２の短手方向に沿って長辺２Ｌへ向けて延在している。
【００４６】
また、各天板受け部４の表面（鉤部６が突出する面）は、四つの天板受け部４を天板２の下面２ｂに取り付けた状態において、平面視で、天板２の短手方向に平行且つ天板２の中心２ＣＰを通過する仮想直線ＶＣＬへ向いている。
したがって、各鉤部６は、平面視で、天板２の短手方向に平行且つ天板２の中心２ＣＰを通過する仮想直線ＶＣＬへ向けて突出している。すなわち、鉤部６は、平面視で、天板２の中心２ＣＰへ向けて突出する。
一方の支柱本体部８Ｌは、平面視で、天板２の中心２ＣＰよりも短辺２ＳＬ（一方の短辺２Ｓ）側に位置している。具体的には、一方の支柱本体部８Ｌは、平面視で、一方の短辺２ＳＬに近接した位置であるとともに、天板２の短手方向中心に配置されている。
【００４７】
他方の支柱本体部８Ｒは、平面視で、天板２の中心２ＣＰよりも短辺２ＳＲ（他方の短辺２Ｓ）側に位置している。具体的には、他方の支柱本体部８Ｒは、平面視で、他方の短辺２ＳＲに近接した位置であるとともに、天板２の短手方向中心に配置されている。すなわち、支柱本体部８は、平面視で、天板２の中心２ＣＰよりも天板２の外周縁２ｃ側（本実施形態では、短辺２Ｓ側）に位置している。
梁部材２２は、金属製であり、断面がコの字形の板材で形成されている。第二実施形態では、テーブル１が、一つの梁部材２２を備えている場合について説明する。
【００４８】
また、梁部材２２は、天板２の長辺２Ｌに沿って延在させて配置し、二つの支柱本体部８Ｌ，８Ｒを、それぞれの上端側で連結する。
また、二つの支柱本体部８を連結する梁部材２２には、中間受け部２４を取り付ける。
中間受け部２４は、例えば、断面がコの字形の金属製の板材で形成する。また、中間受け部２４は、天板２の下面２ｂと対向する辺の両端部を、天板２の下面２ｂに取り付ける。また、中間受け部２４は、天板２の長辺に沿った中心２ＣＰに配置し、長手方向を天板２の短辺に沿って延在させる。
【００４９】
（テーブル１の使用状態）
以下、図１１を参照して、第二実施形態のテーブル１を使用する状態について説明する。
テーブル１の使用者は、例えば、手提げ鞄等の物品を鉤部６に吊り下げた後に、テーブル１の近くに配置した椅子（図示せず）に座り、天板２の上面２ａに飲食物等を載せる。
ここで、第二実施形態では、上述したように、手提げ鞄等の物品を吊り下げる鉤部６が、平面視で、天板２の短手方向に平行且つ天板２の中心２ＣＰを通過する仮想直線ＶＣＬへ向けて突出している。
【００５０】
これにより、支柱の側面から突出した係止部に物品を吊り下げる構成のテーブルと比較して、鉤部６に吊り下げた物品を、椅子に着座している者以外が外しにくくなる。このため、支柱の側面から突出した係止部に物品を吊り下げる構成のテーブルと比較して、テーブル１の側方を通過する歩行者が、鉤部６に吊り下げた物品を取り外しにくくなり、物品の盗難を抑制することが可能となる。
また、支柱の側面から突出した係止部に物品を吊り下げる構成のテーブルと比較して、鉤部６に、歩行者の衣服やカバン等が引っかかることを抑制することが可能となる。また、支柱の側面から突出した係止部に物品を吊り下げる構成のテーブルと比較して、鉤部６が、児童等の背が低い歩行者の顔に接触することを抑制することが可能となる。
【００５１】
このため、支柱の側面から突出した係止部に物品を吊り下げる構成のテーブルと比較して、安全性の確保が容易となる。
また、支柱の側面から突出した係止部に物品を吊り下げる構成のテーブルと比較して、複数のテーブル１を、天板２同士を接触させた状態で並べて使用する際に、隣り合うテーブル１によって、鉤部６が使用不可能となる状況の発生を抑制することが可能となる。また、支柱の側面から突出した係止部に物品を吊り下げる構成のテーブルと比較して、鉤部６に物品を吊り下げた状態であっても、天板２同士を接触させた状態で、複数のテーブル１を並べて使用することが可能となる。
【００５２】
このため、支柱の側面から突出した係止部に物品を吊り下げる構成のテーブルと比較して、テーブル１及び鉤部６の使い勝手を向上させることが可能となる。 
したがって、第二実施形態では、物品の盗難を抑制することが可能なテーブル１を提供することが可能である。さらに、第二実施形態では、安全性の確保が容易とすることが可能なテーブル１を提供することが可能である。また、第二実施形態では、使い勝手を向上させることが可能なテーブル１を提供することが可能である。
なお、上述した第二実施形態は、本考案の一例であり、本考案は、上述した第二実施形態に限定されることはなく、この実施形態以外の形態であっても、本考案に係る技術的思想を逸脱しない範囲であれば、設計等に応じて種々の変更が可能である。
【００５３】
（第二実施形態の効果）
第二実施形態では、上述した第一実施形態の効果に加え、さらに、以下に記載する効果を奏することが可能となる。
（１）天板２を長方形とする。これに加え、一方の支柱本体部８Ｌを、平面視で、天板２の中心２ＣＰよりも一方の短辺２ＳＬ側に位置させ、他方の支柱本体部８Ｒを、平面視で、天板２の中心２ＣＰよりも他方の短辺２ＳＲ側に位置させる。
【００５４】
さらに、四つの天板受け部４のうち二つを、それぞれ、平面視で、一方の支柱本体部８Ｌを起点として、天板２の短手方向に沿って二つの異なる長辺２ＬＵ，２ＬＤへ向けて延在させる。これに加え、残りの二つの天板受け部４を、それぞれ、平面視で、他方の支柱本体部８Ｒを起点として、天板２の短手方向に沿って二つの異なる長辺２ＬＵ，２ＬＤへ向けて延在させる。また、各鉤部６を、平面視で、仮想直線ＶＣＬへ向けて突出させる。
このため、支柱の側面から突出した係止部に物品を吊り下げる構成のテーブルと比較して、テーブル１の側方を通過する歩行者が、鉤部６に吊り下げた物品を取り外しにくくなる。
【００５５】
これにより、支柱の側面から突出した係止部に物品を吊り下げる構成のテーブルと比較して、物品の盗難を抑制することが可能なテーブル１を提供することが可能となる。
また、支柱の側面から突出した係止部に物品を吊り下げる構成のテーブルと比較して、鉤部６に、歩行者の衣服やカバン等が引っかかることの抑制や、鉤部６が、児童等の背が低い歩行者の顔に接触することの抑制が可能となる。
これにより、支柱の側面から突出した係止部に物品を吊り下げる構成のテーブルと比較して、安全性の確保を容易とすることが可能なテーブル１を提供することが可能となる。
【００５６】
また、支柱の側面から突出した係止部に物品を吊り下げる構成のテーブルと比較して、複数のテーブル１を、天板２同士を接触させた状態で並べて使用する際に、隣り合うテーブル１によって、鉤部６が使用不可能となる状況の発生を抑制することが可能となる。また、支柱の側面から突出した係止部に物品を吊り下げる構成のテーブルと比較して、鉤部６に物品を吊り下げた状態であっても、天板２同士を接触させた状態で、複数のテーブル１を並べて使用することが可能となる。
これにより、支柱の側面から突出した係止部に物品を吊り下げる構成のテーブルと比較して、テーブル１及び鉤部６の使い勝手を向上させることが可能なテーブル１を提供することが可能となる。
【００５７】
（変形例）
（１）第二実施形態では、一つの梁部材２２で、二つの支柱本体部８Ｌ，８Ｒを連結する構成としたが、これに限定するものではない。すなわち、図１２中に示すように、二つの支柱本体部８Ｌ，８Ｒを、天板２の長辺に沿って延在する二つの梁部材２２で連結してもよい。
この場合、二つの梁部材２２の一方は、二つの支柱本体部８Ｌ，８Ｒを、それぞれの上端側で連結する。さらに、二つの梁部材２２の他方は、二つの支柱本体部８Ｌ，８Ｒを、それぞれの脚部１０を取り付けた位置と梁部材２２の一方を取り付けた位置との間で連結する。
【００５８】
（２）第二実施形態では、支柱本体部８が、平面視で、天板２の中心２ＣＰよりも天板２の短辺２Ｓ側に位置しているが、これに限定するものではない。すなわち、支柱本体部８が、平面視で、天板２の中心２ＣＰよりも天板２の長辺２Ｌ側に位置している構成としてもよい。すなわち、支柱本体部８は、平面視で、天板２の中心２ＣＰよりも天板２の外周縁２ｃ側に位置している構成であればよい。
【符号の説明】
【００５９】
１…テーブル、２…天板、２ａ…天板２の上面、２ｂ…天板２の下面、２ｃ…天板２の外周縁、２Ｌ（２ＬＵ，２ＬＤ）…天板２の長辺、２Ｓ（２ＳＬ，２ＳＲ）…天板２の短辺、２ＣＰ…天板２の中心、４…天板受け部、４ａ…天板受け部４の表面、４ｂ…天板受け部４の裏面、４ｃ…天板側空隙部、６…鉤部、６ａ…鉤部６の基端部、６ｂ…鉤部６の先端部、８（８Ｌ，８Ｒ）…支柱本体部、１０…脚部、１２…天板受けフランジ部、１４…天板連結部、１４ａ…取り付けねじ挿通孔、１６…接地部用ブラケット、１８…接地部、２０…脚部カバー、２２…梁部材、２４…中間受け部、Ｆ…設置面、Ｒ…閉ループ領域、ＶＣＬ…仮想直線
【図１】
0003198607.tif 000003
【図２】
0003198607.tif 000004
【図３】
0003198607.tif 000005
【図４】
0003198607.tif 000006
【図５】
0003198607.tif 000007
【図６】
0003198607.tif 000008
【図７】
0003198607.tif 000009
【図８】
0003198607.tif 000010
【図９】
0003198607.tif 000011
【図１０】
0003198607.tif 000012
【図１１】
0003198607.tif 000013
【図１２】
0003198607.tif 000014